(57)【要約】【課題】容量性負荷として振る舞うフィルムスピーカを備える携帯端末について、音声を出力している場合において、内蔵する電池の残量が減ってきたときに、電池切れになる時刻を先延ばししたい。【解決手段】  内蔵している電池に蓄電されている電力の残量を繰り返し計測する計測部と、計測部によって計測される電力の残量に応じて、残量が所定量よりも少ない場合におけるカットオフ周波数の方が、残量が所定量より多い場合におけるカットオフ周波数よりも低くなるように、フィルムスピーカに入力される音声信号の高周波帯域をカットするローパスフィルタ部とを備える携帯端末を提供する。【選択図】図６
2015188141.tif 000002
【特許請求の範囲】
【請求項１】
内蔵する電池に蓄電されている電力を利用して動作する携帯端末であって、
音声信号を記憶する記憶部と、
前記記憶部によって記憶された音声信号の再生時における高周波帯域をカットするローパスフィルタ部と、
前記ローパスフィルタ部によって高周波帯域がカットされた音声信号に基づいて外部に音声を出力する、容量性負荷として振る舞うフィルムスピーカと、
前記電池に蓄電されている電力の残量を計測する計測部とを備え、
前記ローパスフィルタ部は、前記計測部によって計測される電力の残量に応じて、当該残量が所定量よりも少ない場合におけるカットオフ周波数の方が、当該残量が当該所定量より多い場合におけるカットオフ周波数よりも低くなるように、前記高周波帯域のカットを行う
ことを特徴とする携帯端末。
【請求項２】
前記ローパスフィルタ部は、前記計測部によって計測される電力の残量が前記所定量より大きい場合に、カットオフ周波数を第１周波数とし、当該残量が前記所定量より小さい場合に、カットオフ周波数を、前記第１周波数よりも低い第２周波数とするように、前記高周波帯域のカットを行う
ことを特徴とする請求項１記載の携帯端末。
【請求項３】
前記ローパスフィルタ部は、前記フィルムスピーカの出力対象となる音声に１つ以上の楽曲が含まれる場合には、前記計測部によって計測される電力の残量が、前記所定量を跨いで減少したときであっても、前記フィルムスピーカが一の楽曲を出力する期間は、前記第１周波数から前記第２周波数へのカットオフ周波数の切り替えを抑制する
ことを特徴とする請求項２記載の携帯端末。
【請求項４】
ユーザによる楽曲の種類の指定を受け付ける楽曲種指定部を備え、
前記ローパスフィルタ部は、前記計測部によって計測される電力の残量が、前記所定量より小さい場合であっても、前記フィルムスピーカが、前記楽曲種指定部によって受け付けられた種類の楽曲を出力する期間は、カットオフ周波数を前記第２周波数とせずに前記第１周波数とする
ことを特徴とする請求項３記載の携帯端末。
【請求項５】
ユーザによる楽曲の指定を受け付ける楽曲指定部を備え、
前記ローパスフィルタ部は、前記計測部によって計測される電力の残量が、前記所定量より小さい場合であっても、前記フィルムスピーカが、前記楽曲指定部によって受け付けられた楽曲を出力する期間は、カットオフ周波数を前記第２周波数とせずに前記第１周波数とする
ことを特徴とする請求項３記載の携帯端末。
【請求項６】
前記フィルムスピーカの音声出力対象となる音声が、報知用音声であるか否かを判定する判定部を備え、
前記ローパスフィルタ部は、前記計測部によって計測される電力の残量が、前記所定量より小さい場合であっても、前記フィルムスピーカが、前記判定部によって前記報知用音声でないと判定された音声を出力する期間は、カットオフ周波数を前記第２周波数とせずに前記第１周波数とする
ことを特徴とする請求項３記載の携帯端末。
【請求項７】
前記ローパスフィルタ部は、
カットオフ周波数をプログラマブルに設定可能なデジタルローパスフィルタと、
前記計測部によって計測される電力の残量が前記所定量より大きい場合に、前記ローパスフィルタ部のカットオフ周波数が前記第１周波数となり、前記計測部によって計測される電力の残量が前記所定量より小さい場合に、前記ローパスフィルタ部のカットオフ周波数が前記第２周波数となるように、前記デジタルローパスフィルタのカットオフ周波数を設定する設定部とを含む
ことを特徴とする請求項２記載の携帯端末。
【請求項８】
前記ローパスフィルタ部によって高周波成分がカットされた音声信号を増幅するアンプを備え、
前記フィルムスピーカは、前記アンプによって増幅された音声信号を音声に変換することで、前記音声の出力を行う
ことを特徴とする請求項７記載の携帯端末。
【請求項９】
内蔵する電池に蓄電されている電力を利用して動作する携帯端末であって、
音声信号を記憶する記憶部と、
前記記憶部によって記憶された音声信号の再生時における高周波帯域をカットするローパスフィルタ部と、
前記ローパスフィルタ部によって高周波帯域がカットされた音声信号に基づいて外部に音声を出力する、容量性負荷として振る舞うフィルムスピーカと、
前記電池に蓄電されている電力の残量を計測する計測部とを備え、
前記ローパスフィルタ部は、前記計測部によって計測される電力の残量に応じて、当該残量が所定量よりも少ない場合に、前記高周波帯域のカットを行う
ことを特徴とする携帯端末。
【請求項１０】
音声信号を記憶する記憶部と、容量性負荷として振る舞うフィルムスピーカと、ローパスフィルタ部と、計測部とを備え、内蔵する電池に蓄電されている電力を利用して動作する携帯端末の制御方法であって、
前記計測部が、前記電池に蓄電されている電力の残量を計測し、
前記ローパスフィルタ部が、前記計測部によって計測される電力の残量に応じて、当該残量が所定量よりも少ない場合におけるカットオフ周波数の方が、当該残量が当該所定量より多い場合におけるカットオフ周波数よりも低くなるように、前記記憶部によって記憶された音声信号の再生時における高周波帯域をカットし、
前記フィルムスピーカが、前記ローパスフィルタ部によって高周波領域がカットされた音声信号に基づいて、外部に音声を出力する
ことを特徴とする制御方法。
【発明の詳細な説明】
【技術分野】
【０００１】
本発明は、容量性負荷として振る舞うフィルムスピーカを備える携帯端末に関する。
【背景技術】
【０００２】
圧電素子を利用した圧電スピーカ（例えば、特許文献１参照）は、電磁式スピーカで必要とされるマグネットとコイルとが不要であり、薄型化、軽量化の実現に適している。中でも、樹脂フィルムと薄膜状の圧電素子とによって構成されるフィルムスピーカは、特に薄型化の実現に適している。
このため、薄型化が要望される携帯端末の中には、フィルムスピーカを備えているものがある。
【０００３】
フィルムスピーカは、容量性負荷として振る舞う。すなわち、入力される信号の周波数がより高くなれば、インピーダンスがより低くなるという特性を有している。よって、フィルムスピーカに比較的高い周波数帯の信号が入力される場合には、フィルムスピーカに比較的多く電流が流れてしまい、比較的大きな電力が消費されてしまう。
一般に、携帯端末は、内蔵する電池に蓄電された、限られた電力を利用して動作するものであるため、フィルムスピーカによって比較的大きな電力が消費されてしまうことは好ましくない。
【先行技術文献】
【特許文献】
【０００４】
【特許文献１】特開２００４−２２１７４２号公報
【発明の概要】
【発明が解決しようとする課題】
【０００５】
一般に、携帯端末に対する要望として、内蔵する電池の残量が減ってきたときに、電池切れになる時刻を先延ばししたいというものがある。
しかしながら、上記携帯端末は、この要望に応えることができない。
そこで、音声を出力している場合において、内蔵する電池の残量が減ってきたときに、電池切れになる時刻を先延ばしすることができる、フィルムスピーカを備える携帯端末が求められている。
【課題を解決するための手段】
【０００６】
上記課題を解決するために本発明の一態様に係る携帯端末は、内蔵する電池に蓄電されている電力を利用して動作する携帯端末であって、音声信号を記憶する記憶部と、前記記憶部によって記憶された音声信号の再生時における高周波帯域をカットするローパスフィルタ部と、前記ローパスフィルタ部によって高周波帯域がカットされた音声信号に基づいて外部に音声を出力する、容量性負荷として振る舞うフィルムスピーカと、前記電池に蓄電されている電力の残量を計測する計測部とを備え、前記ローパスフィルタ部は、前記計測部によって計測される電力の残量に応じて、当該残量が所定量よりも少ない場合におけるカットオフ周波数の方が、当該残量が当該所定量より多い場合におけるカットオフ周波数よりも低くなるように、前記高周波帯域のカットを行うことを特徴とする。
【発明の効果】
【０００７】
本発明の一態様による携帯端末は、音声を出力している場合において、内蔵する電池の残量が減ってきたときに、電池切れになる時刻を先延ばしすることができる。
【図面の簡単な説明】
【０００８】
【図１】（ａ）表側から見た携帯端末１００の斜視図、（ｂ）裏側から見た携帯端末１００の斜視図
【図２】（ａ）フィルムスピーカ２００の正面図、（ｂ）フィルムスピーカ２００の断面図
【図３】フィルムスピーカ２００に交流信号を加えた場合における、フィルムスピーカ２００に流れる電流の周波数特性を示す図
【図４】携帯端末１００の一部についての分解斜視図
【図５】携帯端末１００の回路構成を示すブロック図
【図６】カットオフ周波数制御部６００の機能構成を示すブロック図
【図７】音源テーブル７００のデータ構成図
【図８】再生楽曲指定画面８００を示す模式図
【図９】再生テーブル９００のデータ構成図
【図１０】報知テーブル１０００のデータ構成図
【図１１】カットオフ周波数制御処理のフローチャート
【図１２】第１変形例の携帯端末の回路構成を示すブロック図
【図１３】第１変形例のカットオフ周波数制御処理のフローチャート
【図１４】第２変形例のカットオフ周波数制御処理のフローチャート
【図１５】カットオフ周波数制御部１５００の機能構成を示すブロック図
【図１６】第３変形例のカットオフ周波数制御処理のフローチャートその１
【図１７】第３変形例のカットオフ周波数制御処理のフローチャートその２
【図１８】第４変形例の携帯端末の回路構成を示すブロック図
【図１９】カットオフ周波数制御部１９００の機能構成を示すブロック図
【図２０】第４変形例のカットオフ周波数制御処理のフローチャート
【発明を実施するための形態】
【０００９】
＜実施の形態＞
＜概要＞
ここでは、本発明に係る携帯端末の一実施例として、フィルムスピーカを備え、内蔵する電池の残量が所定量（例えば、１５％）より多い場合に、第１周波数帯域（例えば、１０ＫＨｚ以上の周波数帯域）がカットされた音声信号をフィルムスピーカへの入力信号とし、内蔵する電池の残量が所定量以下の場合に、第１周波数帯域を含む第２周波数帯域（例えば、５ＫＨｚ以上の周波数帯域）がカットされた音声信号をフィルムスピーカへの入力信号とする携帯端末について説明する。
【００１０】
以下、この携帯端末の詳細について図面を参照しながら説明する。
＜構成＞
図１（ａ）は、携帯端末１００の表側から見た外観を示す斜視図であって、図１（ｂ）は、携帯端末１００の裏側から見た外観を示す斜視図である。
図１（ａ）、（ｂ）に示されるように、携帯端末１００は、略直方体の形状をした、いわゆるスマートフォンであって、表側主表面に、タッチパネル１１０の操作面が配され、レシーバ孔１２０と、マイク孔１３０とが開設され、裏側主平面に、第１スピーカ孔群１４０と、第２スピーカ孔群１５０とが開設されている。
【００１１】
図２（ａ）は、携帯端末１００に内蔵されるフィルムスピーカ２００の正面図であって、図２（ｂ）は、フィルムスピーカ２００の断面図である。
同図に示されるように、フィルムスピーカ２００は、樹脂フィルム２１０の上面に、薄膜状の圧電素子２２０が重ねられて配置され、樹脂フィルム２１０と圧電素子２２０との上面を、樹脂コーディング剤２３０でコーディングされ、周囲がフレーム２４０で取り囲まれて構成される。
【００１２】
フィルムスピーカ２００は、圧電素子２２０に信号電圧が加えられることで、圧電素子２２０に歪が発生して、圧電素子２２０と樹脂フィルム２１０とが振動し、加えられた信号電圧に応じた音声を出力する。このフィルムスピーカ２００は、加えられる信号電圧に対して、容量性負荷として振る舞う。
図３は、フィルムスピーカ２００に加える交流信号の電圧を一定に保持しつつ、すなわち、出力される音声の音圧レベルを一定に保ちつつ、加える交流信号の周波数を変化させた場合における、フィルムスピーカ２００に流れる電流を示すグラフである。
【００１３】
同図において、横軸は、フィルムスピーカ２００に入力する交流信号の周波数であって、対数軸となっており、縦軸は、フィルムスピーカ２００に流れる電流であって、実数軸となっている。
同図に示されるように、フィルムスピーカ２００は、加える電圧を一定に保つという条件において、入力される信号の周波数が高くなるほど、流れる電流が多くなる。
【００１４】
図４は、携帯端末１００に、フィルムスピーカ２００が内蔵されている様子を示す、携帯端末１００の一部についての分解斜視図である。
同図に示されるように、携帯端末１００は、ステレオ音声出力に対応するために、右側の音声を出力するためのフィルムスピーカ２００ａと左側の音声を出力するためのフィルムスピーカ２００ｂとを内蔵している。
【００１５】
同図において、筐体下部４００は、携帯端末１００の筐体の一部であって、携帯端末１００の筐体から表側主表面が取り去られたものである。
スピーカホルダ４１０は、フィルムスピーカ２００ａとフィルムスピーカ２００ｂとを固定するための構造体であって、筐体下部４００に嵌め込まれて、筐体下部４００に固着される。
【００１６】
フィルムスピーカ２００ａとフィルムスピーカ２００ｂとは、それぞれ、スピーカ固定部４３０ａとスピーカ固定部４３０ｂとに、フレーム２４０の部分が接着されて、スピーカホルダ４１０に固定される。
スピーカホルダ４１０において、スピーカ固定部４３０ａの中央部と、スピーカ固定部４３０ｂの中央部とに、それぞれ、スピーカ孔４４０ａと、スピーカ孔４４０ｂとが開設されている。
【００１７】
スピーカホルダ４１０が、筐体下部４００に固着された状態において、スピーカ孔４４０ａと、スピーカ孔４４０ｂとは、それぞれ、第１スピーカ孔群１４０と、第２スピーカ孔群１５０とに対向する位置となる。従って、フィルムスピーカ２００ａから出力された音声は、スピーカ孔４４０ａと第１スピーカ孔群１４０とを通って、携帯端末１００外部へと伝搬し、フィルムスピーカ２００ｂから出力された音声は、スピーカ孔４４０ｂと第２スピーカ孔群１５０とを通って、携帯端末１００外部へと伝搬されることとなる。
【００１８】
図５は、携帯端末１００の回路構成を示すブロック図である。
同図に示されるように、携帯端末１００は、ＣＰＵ（Central Processing Unit）５００と、アンテナ５０５と、通信用ＬＳＩ（Large Scale Integration）５１０と、タッチパネルコントローラ５１５と、タッチパネル１１０と、音源ストレージ５２０と、ＳＤカードリーダ５２５と、メモリ５３０と、レシーバ５３５と、マイク５４０と、タイマ５４５と、電池残量計測器５５０と、電池５５５と、デコーダ５６０と、第１アンプ５６５と、第２アンプ５７０と、フィルムスピーカ２００ａと、フィルムスピーカ２００ｂとから構成される。
【００１９】
アンテナ５０５は、通信用ＬＳＩ５１０に接続され、通信用ＬＳＩ５１０が行う通信に利用される、例えば、金属箔膜製のモノポールアンテナである。
通信用ＬＳＩ５１０は、アンテナ５０５とＣＰＵ５００とに接続され、ＣＰＵ５００によって制御される。そして、外部の基地局と通信する機能を有する。
タッチパネル１１０は、液晶ディスプレイの表示面上に透明なタッチパッドが重ねられて構成され、タッチパネルコントローラ５１５に接続され、タッチパネルコントローラ５１５によって制御される。そして、携帯端末１００を利用するユーザの接触操作を受け付ける操作受付機能と、画像を表示する表示機能とを有する。
【００２０】
タッチパネルコントローラ５１５は、タッチパネル１１０とＣＰＵ５００とに接続され、ＣＰＵ５００によって制御される。そして、ＣＰＵ５００から送られて来る画像信号に基づく画像をタッチパネル１１０に表示させる表示制御機能と、携帯端末１００を利用するユーザが、タッチパネル１１０を用いて行う接触操作を、電気信号に変換してＣＰＵ５００に送る接触操作変換機能とを有する。
【００２１】
音源ストレージ５２０は、ＣＰＵ５００に接続されるデータ記憶デバイスであって、携帯端末１００が出力する音声の音源データを記憶する機能を有する。音源ストレージ５２０に記憶される音源データは、例えば、ＭＰ３（MPEG Audio Layer-3）規格に準拠して符号化された、楽曲についてのステレオオーディオデータと、その楽曲についての曲名とジャンル名とアーティスト名とからなるヘッダデータとから構成される。音源ストレージ５２０は、一例として、フラッシュメモリによって実現される。
【００２２】
ＳＤカードリーダ５２５は、ＣＰＵ５００に接続され、ＣＰＵ５００によって制御される。そして、ＳＤカードを着脱可能に装着する装着機能と、装着しているＳＤカードから、携帯端末１００が出力する音声の音源データを読み出す読出機能とを有する。ＳＤカードリーダ５２５に装着されるＳＤカードに記憶される音源データは、音源ストレージ５２０に記憶される音源データと同様の形式のデータである。
【００２３】
メモリ５３０は、ＣＰＵ５００に接続され、ＣＰＵ５００の動作を規定するプログラムと、ＣＰＵ５００が利用するデータとを記憶する。メモリ５３０は、一例として、ＲＡＭ（Random Access Memory）とＲＯＭ（Read Only Memory）とフラッシュメモリとによって実現される。
レシーバ５３５は、ＣＰＵ５００に接続され、ＣＰＵ５００によって制御される。そして、ＣＰＵ５００から送られる電気信号を音声に変換して、変換した音声を、レシーバ孔１２０（図１（Ａ）参照）を通して携帯端末１００外部に出力する機能を有する。
【００２４】
マイク５４０は、ＣＰＵ５００に接続され、ＣＰＵ５００によって制御される。そして、マイク孔１３０（図１（Ａ）参照）を通して携帯端末１００外部から入力される音声を電気信号に変換して、変換した電気信号をＣＰＵ５００へ送る機能を有する。
電池５５５は、電池残量計測器５５０に接続され、携帯端末１００を構成する電子部品に電力を供給する。電池５５５は、一例として、携帯端末１００に着脱可能な充電器（図示せず）によって繰り返し充電されることが可能な二次電池である。
【００２５】
電池残量計測器５５０は、電池５５５と、ＣＰＵ５００とに接続され、ＣＰＵ５００によって制御される。そして、電池５５５に蓄電されている電力の残量を計測する機能を有する。電池残量計測器５５０は、一例として、計測された電力の残量を、フル充電時において蓄電される電力量に対する百分率として出力する。
デコーダ５６０は、第１アンプ５６５と、第２アンプ５７０と、ＣＰＵ５００とに接続され、ＣＰＵ５００によって制御される。そして、ＣＰＵ５００から送られて来る、符号化されたステレオオーディオデータを復号して、右側スピーカ用の音声信号（以下、「右音声信号」と呼ぶ。）と、左側スピーカ用の音声信号（以下、「左音声信号」と呼ぶ。）とを生成し、生成した右音声信号を第１アンプ５６５に送出し、生成した左音声信号を第２アンプ５７０に送出する機能を有する。
【００２６】
ここで、ＣＰＵ５００から送られて来る、符号化されたステレオオーディオデータは、音源ストレージ５２０、又はＳＤカードリーダ５２５に装着されたＳＤカードから読み出された音源データに含まれるものである。
第１アンプ５６５は、デコーダ５６０とフィルムスピーカ２００ａとに接続され、デコーダ５６０から送出された右音声信号を増幅してフィルムスピーカ２００ａに送出する。
【００２７】
第２アンプ５７０は、デコーダ５６０とフィルムスピーカ２００ｂとに接続され、デコーダ５６０から送出された左音声信号を増幅してフィルムスピーカ２００ｂに送出する。
ＣＰＵ５００は、通信用ＬＳＩ５１０と、タッチパネルコントローラ５１５と、音源ストレージ５２０と、ＳＤカードリーダ５２５と、メモリ５３０と、レシーバ５３５と、マイク５４０と、タイマ５４５と、電池残量計測器５５０と、デコーダ５６０とに接続される。そして、メモリ５３０に記憶されているプログラムを実行することで、以下のスマートフォン制御機能と、カットオフ周波数制御機能とを実現する。
【００２８】
スマートフォン制御機能とは、プログラムを実行するＣＰＵ５００が、ＣＰＵ５００に接続される回路を制御して、携帯端末１００に、従来のスマートフォンが有する、スマートフォンとしての一般的な機能と同等な機能、例えば、通話機能、インターネットサイト閲覧機能、メール送受信機能、待ち受け機能、音声再生機能等を実現させる機能である。
カットオフ周波数制御機能とは、プログラムを実行するＣＰＵ５００が、ＣＰＵ５００に接続される回路を制御して、携帯端末１００に、その特徴的な動作であるカットオフ周波数制御処理を実行させることで、音声再生時において、電池５５５の残量が所定量（例えば、１５％）より多い場合に、第１周波数帯域（例えば、１０ＫＨｚ以上の周波数帯域）がカットされた音声信号を、フィルムスピーカ２００ａ、２００ｂに入力し、電池５５５の残量が所定量以下の場合に、第２周波数帯域（例えば、５ＫＨｚ以上の周波数帯域）がカットされた音声信号を、フィルムスピーカ２００ａ、２００ｂに入力する機能である。
【００２９】
なお、カットオフ周波数制御処理については、後程＜カットオフ周波数制御処理＞の項目において、フローチャートを用いて詳細に説明する。
上記回路構成を備える携帯端末１００について、以下、機能面から見た構成について説明する。ここでは、携帯端末１００を構成する機能ブロックのうち、携帯端末１００の行う特徴的な動作であるカットオフ周波数制御処理を実現する機能ブロックであるカットオフ周波数制御部６００を中心に説明する。
【００３０】
図６は、カットオフ周波数制御部６００の機能構成を示すブロック図である。
同図に示されるように、カットオフ周波数制御部６００は、制御部６１０と、所定量記憶部６１５と、ユーザ操作受付部６２０と、報知指示受付部６２５と、残量計測部６３０と、再生テーブル記憶部６３５と、報知テーブル記憶部６４０と、音源記憶部６４５と、音源テーブル記憶部６５０と、音源読出部６５５と、デコード部６６０と、バッファ部６６５と、定数可変ローパスフィルタ部６７０とから構成される。
【００３１】
音源記憶部６４５は、音源読出部６５５と、音源テーブル記憶部６５０とに接続され、音源ストレージ５２０と、ＳＤカードリーダ５２５と、ＳＤカードリーダ５２５に装着されるＳＤカードとによって実現される。そして、携帯端末１００が出力する音声の音源データを記憶する機能を有する。
音源テーブル記憶部６５０は、音源記憶部６４５と制御部６１０とに接続され、ＣＰＵ５００とメモリ５３０とによって実現される。そして、音源記憶部６４５に記憶されている音源データについての情報を示す音源テーブル７００を記憶し、更新する機能を有する。
【００３２】
図７は、音源テーブル記憶部６５０によって記憶される音源テーブル７００のデータ構成図である。
同図に示されるように、音源テーブル７００は、音源記憶部６４５に記憶される音源データそれぞれについての、ＩＤ７１０と、曲名７２０と、アーティスト名７３０と、ファイル名７４０と、保管場所７５０と、ディレクトリ７６０と、ジャンル７７０とが対応付けられて構成される。
【００３３】
ＩＤ７１０は、音源データを識別する識別子である。
曲名７２０は、音源データに含まれる楽曲の曲名である。
アーティスト名７３０は、音源データに含まれる楽曲のアーティスト名である。
ファイル名７４０は、音源データのファイル名である。
保管場所７５０は、音源データが、音源ストレージ５２０とＳＤカードリーダ５２５に装着されているＳＤカードとのいずれに記憶されているかを示す情報である。
【００３４】
ディレクトリ７６０は、音源データが記憶されているディレクトリである。
ジャンル７７０は、音源データに含まれる楽曲のジャンルである。ジャンルには、例えば、クラッシック、ポップ、ジャズ等がある。
音源テーブル記憶部６５０は、音源記憶部６４５に記憶される音源データが更新された場合、又はＳＤカードリーダ５２５のＳＤカードが着脱された場合に、記憶する音源テーブル７００を更新する。
【００３５】
再び、図６に戻って、カットオフ周波数制御部６００の説明を続ける。
ユーザ操作受付部６２０は、制御部６１０に接続され、ＣＰＵ５００と、タッチパネルコントローラ５１５と、タッチパネル１１０とによって実現される。そして、携帯端末１００を利用するユーザによって、タッチパネル１１０の操作面が接触されてなされる、再生楽曲指定操作と、楽曲再生操作とを受け付ける機能を有する。
【００３６】
再生楽曲指定操作は、携帯端末１００を利用するユーザが、携帯端末１００に再生させる１以上の楽曲を指定する操作である。
再生楽曲指定操作の受け付けは、携帯端末１００を利用するユーザによって、タッチパネル１１０に対して所定の操作（例えば、再生楽曲指定操作を受け付ける旨示すアイコンのタッチ操作）がなされることで開始される。
【００３７】
図８は、ユーザ操作受付部６２０によって再生楽曲指定操作の受け付けが開始された場合に、タッチパネル１１０に表示される再生楽曲指定画面８００を示す模式図である。
同図に示されるように、再生楽曲指定画面８００は、音源記憶部６４５に記憶される音源データそれぞれについての、アーティスト名８１０と、曲名８２０と、ジャンル８３０と、保管場所８４０とが対応付けられて構成される。
【００３８】
アーティスト名８１０は、音源データに含まれる楽曲のアーティスト名であって、アーティスト名７３０と同様のものである。
曲名８２０は、音源データに含まれる楽曲の曲名であって、曲名７２０と同様のものである。
ジャンル８３０は、音源データに含まれる楽曲のジャンルであって、ジャンル７７０と同様のものである。
【００３９】
保管場所８４０は、音源データが、音源ストレージ５２０とＳＤカードリーダ５２５に装着されているＳＤカードとのいずれに記憶されているかを示す情報であって、保管場所７５０と同様のものである。
アーティスト名８１０と、曲名８２０と、ジャンル８３０と、保管場所８４０との組み合わせ（以下、「楽曲情報の組み合わせ」と呼ぶ。）を１画面で全て表示しきれない場合には、画面に対してスクロール操作がなされることで、新たな楽曲情報の組み合わせが表示される。
【００４０】
携帯端末１００を利用するユーザは、携帯端末１００に再生させたい楽曲に対応する楽曲情報の組み合わせの表示部分をタッチ操作することで、その楽曲を、携帯端末１００に再生させる楽曲として指定する。
複数の楽曲が指定された場合には、指定された順番が、それら楽曲の再生される順番となる。
【００４１】
また、選択された楽曲については、対応する楽曲情報の組み合わせの表示部分に、選択済マーク８５０ａ、選択済マーク８５０ｂが重ね合わされて表示されることで、未選択の楽曲とは区別されて表示される。
楽曲再生操作は、携帯端末１００を利用するユーザが、再生楽曲指定操作によって指定された楽曲を、携帯端末１００に再生させる操作である。
【００４２】
楽曲再生操作の受け付けは、携帯端末１００を利用するユーザによって、タッチパネル１１０に対して所定の操作（例えば、楽曲再生操作を受け付ける旨示すアイコンのタッチ操作）がなされることで行われる。
再び、図６に戻って、カットオフ周波数制御部６００の説明を続ける。
再生テーブル記憶部６３５は、制御部６１０に接続され、ＣＰＵ５００とメモリ５３０とによって実現される。そして、携帯端末１００を利用するユーザによってなされた再生楽曲指定操作によって指定された楽曲の音源データについての情報を示す再生テーブル９００を生成して記憶する機能を有する。
【００４３】
図９は、再生テーブル記憶部６３５に記憶される再生テーブルのデータ構成図である。
同図に示されるように、再生テーブル９００は、ユーザ操作受付部６２０によって受け付けられた再生楽曲指定操作によって指定された楽曲の音楽データそれぞれについての、再生順９１０と、ＩＤ９２０と、ファイル名９３０と、保管場所９４０と、ディレクトリ９５０と、ジャンル９６０とが対応付けられて構成される。
【００４４】
再生順９１０は、音源データの楽曲が再生される順番である。
ＩＤ９２０は、音源データを識別する識別子であって、ＩＤ７１０と同様のものである。
ファイル名９３０は、音源データのファイル名であって、ファイル名７４０と同様のものである。
【００４５】
保管場所９４０は、音源データが、音源ストレージ５２０とＳＤカードリーダ５２５に装着されているＳＤカードとのいずれに記憶されているかを示す情報であって、保管場所７５０と同様のものである。
ディレクトリ９５０は、音源データが記憶されているディレクトリであって、ディレクトリ７６０と同様のものである。
【００４６】
ジャンル９６０は、音源データに含まれる楽曲のジャンルであって、ジャンル７７０と同様のものである。
再び、図６に戻って、カットオフ周波数制御部６００の説明を続ける。
報知テーブル記憶部６４０は、制御部６１０に接続され、メモリ５３０によって実現される。そして、予め報知音として定義された楽曲の音源データについての情報を示す報知テーブル１０００を記憶する機能を有する。
【００４７】
ここで、報知音とは、携帯端末１００を利用するユーザに対して注意喚起を促すために出力する音声のことをいう。
図１０は、報知テーブル記憶部６４０に記憶された報知テーブル１０００のデータ構成図である。
同図に示されるように、報知テーブル１０００は、予め報知音として定義された楽曲の音源データそれぞれについての、報知種１０１０と、ＩＤ１０２０と、ファイル名１０３０と、保管場所１０４０と、ディレクトリ１０５０とが対応付けられて構成される。
【００４８】
報知種１０１０は、報知音の種別である。報知音の種別には、例えば、着信音、メール受信音、警告音等がある。
ＩＤ１０２０は、音源データを識別する識別子であって、ＩＤ７１０と同様のものである。
ファイル名１０３０は、音源データのファイル名であって、ファイル名７４０と同様のものである。
【００４９】
保管場所１０４０は、音源データが、音源ストレージ５２０とＳＤカードリーダ５２５に装着されているＳＤカードとのいずれに記憶されているかを示す情報であって、保管場所７５０と同様のものである。
ディレクトリ１０５０は、音源データが記憶されているディレクトリであって、ディレクトリ７６０と同様のものである。
【００５０】
再び、図６に戻って、カットオフ周波数制御部６００の説明を続ける。
報知指示受付部６２５は、制御部６１０に接続され、ＣＰＵ５００によって実現される。そして、カットオフ周波数制御部６００外部の機能ブロック（図示せず）から送出された、報知音の再生を指示する旨を示す報知指示信号を受け取る機能を有する。この報知指示信号には、再生する報知音の楽曲を特定するための報知種１０１０が含まれる。
【００５１】
例えば、待ち受け機能を実現する待受機能ブロック（図示せず）は、待ち受け時において新たな発呼信号を受信した場合に、携帯端末１００に、新たな発呼信号を受信した旨を示す楽曲を出力させるために、着信音を示す報知種１０１０を含む報知指示信号を、報知指示受付部６２５に送出する。また、メール送受信機能を実現するメール送受信機能ブロック（図示せず）は、新たなメールを受信した場合に、携帯端末１００に、新たなメールを受信した旨を示す楽曲を出力させるために、メール受信音を示す報知種１０１０を含む報知指示信号を、報知指示受付部６２５に送出する。
【００５２】
残量計測部６３０は、制御部６１０に接続され、ＣＰＵ５００と、タイマ５４５と、電池残量計測器５５０とによって実現される。そして、電池５５５に蓄電されている電力の残量を計測する機能を有する。
所定量記憶部６１５は、制御部６１０に接続され、メモリ５３０によって実現される。そして、予め定められた、電池の残量における所定量（例えば、１５％）を記憶する機能を有する。
【００５３】
音源読出部６５５は、音源記憶部６４５と、制御部６１０とに接続され、ＣＰＵ５００によって実現される。そして、制御部６１０によって指定された音源データを、音源記憶部６４５から読み出して、デコード部６６０へ送出する機能を有する。
デコード部６６０は、音源読出部６５５と、バッファ部６６５とに接続され、デコーダ５６０によって実現される。そして、音源読出部６５５から送出された音源データから、その音源データに含まれる、符号化されたステレオオーディオデータを復号して、右音声信号と左音声信号とを生成し、生成した右音声信号と左音声信号とを、バッファ部６６５に逐次送出する機能を有する。
【００５４】
バッファ部６６５は、デコード部６６０と、定数可変ローパスフィルタ部６７０とに接続され、デコーダ５６０によって実現される。そして、以下のバッファリング機能と、楽曲開始通知機能と、楽曲完了通知機能とを有する。
バッファリング機能とは、デコード部６６０から逐次送出された右音声信号と左音声信号とを一時的に記憶して、対応する楽曲が正しいタイミングで再生されるように送出するタイミングを調整して、一時的に記憶する右音声信号と左音声信号とを、定数可変ローパスフィルタ部６７０に逐次送出する機能である。
【００５５】
楽曲開始通知機能とは、定数可変ローパスフィルタ部６７０への、一の楽曲に対応する音声信号の送出を開始するタイミングで、その楽曲に対応する音声信号の送出が開始される旨を示す楽曲開始通知信号を、制御部６１０へ送出する機能である。
楽曲完了通知機能とは、定数可変ローパスフィルタ部６７０への、一の楽曲に対応する音声信号の送出を完了するタイミングで、その楽曲に対応する音声信号の送出が完了される旨を示す楽曲完了通知信号を、制御部６１０へ送出する機能。
【００５６】
定数可変ローパスフィルタ部６７０は、バッファ部６６５と、制御部６１０と、第１アンプ５６５と、第２アンプ５７０とに接続され、デコーダ５６０と、ＣＰＵ５００とによって実現される、カットオフ周波数をプログラマブルに設定可能なデジタルローパスフィルタである。そして、バッファ部６６５から逐次送出される右音声信号と左音声信号とのそれぞれに対して、制御部６１０によって設定されたカットオフ周波数に対応する周波数帯の高周波成分をカットして、高周波成分がカットされた右音声信号と、高周波成分がカットされた左音声信号とを生成し、それぞれ、第１アンプ５６５と、第２アンプ５７０とに送出する機能を有する。
【００５７】
制御部６１０は、所定量記憶部６１５と、ユーザ操作受付部６２０と、報知指示受付部６２５と、残量計測部６３０と、再生テーブル記憶部６３５と、報知テーブル記憶部６４０と、音源テーブル記憶部６５０と、音源読出部６５５と、バッファ部６６５と、定数可変ローパスフィルタ部６７０とに接続され、ＣＰＵ５００によって実現される。そして、以下の、再生テーブル生成制御機能と、音源データ通知機能と、フィルタ定数設定機能とを有する。
【００５８】
再生テーブル生成制御機能とは、ユーザ操作受付部６２０によって再生楽曲指定操作が受け付けられた場合に、その受け付けられた再生楽曲指定操作に基づく再生テーブル９００を、再生テーブル記憶部６３５に生成させて記憶させる機能である。
音源データ通知機能とは、携帯端末１００の再生対象となる音源データを特定し、特定した音源データを、音源記憶部６４５から読み出す音源データであるとして、音源読出部６５５に通知する機能である。
【００５９】
フィルタ定数設定機能とは、定数可変ローパスフィルタ部６７０のカットオフ周波数を設定する機能である。
上記構成の携帯端末１００の行う動作について、以下図面を参照しながら説明する。
＜動作＞
ここでは、携帯端末１００の行う動作のうち、特徴的な動作であるカットオフ周波数制御処理について説明する。
【００６０】
＜カットオフ周波数制御処理＞
カットオフ周波数制御処理は、携帯端末１００が行う処理であって、携帯端末１００が音声を出力している場合において、電池５５５の残量が所定量（例えば、１５％）より多いときに、定数可変ローパスフィルタ部６７０のカットオフ周波数を第１周波数（例えば、１０ＫＨｚ）とし、電池５５５の残量が所定量以下のときに、定数可変ローパスフィルタ部６７０のカットオフ周波数を、第１周波数より低い第２周波数（例えば、５ＫＨｚ）とする処理である。
【００６１】
このカットオフ周波数制御処理は、さらに、電池５５５の残量が所定量より多い状態から、所定量以下の状態となった場合であっても、一の楽曲を再生している期間には、カットオフ周波数を変更せずに、その楽曲の再生が終了するまで待ってから、カットオフ周波数を変更する。
図１１は、カットオフ周波数制御処理のフローチャートである。
【００６２】
カットオフ周波数制御処理は、ユーザ操作受付部６２０によって楽曲再生操作が受け付けられた場合、又は報知指示受付部６２５によって報知指示信号が受け取られた場合に開始される。
カットオフ周波数制御処理が開始されると、制御部６１０は、報知指示受付部６２５によって報知指示信号が受け取られたことでカットオフ周波数制御処理が開始された場合に、再生対象となる音声が報知音であると判定し、ユーザ操作受付部６２０によって楽曲再生操作が受け付けられたことでカットオフ周波数制御処理が開始された場合に、再生対象となる音声が報知音でないと判定する（ステップＳ１１００）。
【００６３】
ステップＳ１１００の処理において、再生対象となる音声が報知音であると判定された場合に（ステップＳ１１００：Ｙｅｓ）、制御部６１０は、報知テーブル記憶部６４０に記憶される報知テーブル１０００を参照して、報知指示受付部６２５によって受け付けられた報知指示信号に含まれる報知種１０１０に対応する楽曲（以下、「報知用楽曲」と呼ぶ。）を特定する（ステップＳ１１０５）。
【００６４】
ステップＳ１１００の処理において、再生対象となる音声が報知音でないと判定された場合に（ステップＳ１１００：Ｎｏ）、制御部６１０は、再生テーブル記憶部６３５に記憶される再生テーブル９００を参照して、ユーザ操作受付部６２０によって受け付けられた再生楽曲指定操作によって指定された１以上の楽曲（以下、「再生用楽曲群」と呼ぶ。）と、それぞれの再生順とを特定する。
【００６５】
ステップＳ１１０５の処理が終了した場合、又はステップＳ１１１０の処理が終了した場合に、残量計測部６３０は、電池５５５に蓄電されている電力の残量を計測し、制御部６１０は、計測された残量が、所定量記憶部６１５に記憶されている所定量（例えば、１５％）以下であるか否かを調べる（ステップＳ１１１５）。
ステップＳ１１１５の処理において、計測された残量が、所定量記憶部６１５に記憶されている所定量以下である場合に（ステップＳ１１１５：Ｙｅｓ）、制御部６１０は、定数可変ローパスフィルタ部６７０のカットオフ周波数を第２周波数に設定する（ステップＳ１１２０）。
【００６６】
定数可変ローパスフィルタ部６７０のカットオフ周波数が第２周波数に設定されると、制御部６１０は、音源読出部６５５に、（１）ステップＳ１１０５の処理において特定された報知用楽曲、又は（２）ステップＳ１１１０の処理において特定された再生用楽曲群の読み出しを開始させる（ステップＳ１１２５）。すなわち、（１）ステップＳ１１０５の処理がなされていた場合に、制御部６１０は、報知テーブル記憶部６４０に記憶される報知テーブル１０００を参照して、ステップＳ１１０５の処理において特定された報知用楽曲の、ファイル名１０３０と、保管場所１０４０と、ディレクトリ１０５０との組を、音源読出部６５５に送出して、音源読出部６５５に、特定した報知用楽曲の読み出しを開始させる。そして、（２）ステップＳ１１１０の処理がなされていた場合に、制御部６１０は、再生テーブル記憶部６３５に記憶される再生テーブル９００を参照して、ステップＳ１１１０の処理において特定された再生用楽曲群それぞれの、再生順９１０と、ファイル名９３０と、保管場所９４０と、ディレクトリ９５０との組を、音源読出部６５５に送出して、音源読出部６５５に、特定した再生用楽曲群の、再生順の読み出しを開始させる。
【００６７】
音源読出部６５５が、報知用楽曲の読み出し、又は再生用楽曲群の、再生順の読み出しを開始すると、デコード部６６０は、音源読出部６５５によって読み出しが開始された報知用楽曲、又は再生用楽曲群を逐次復号して、復号した右音声信号と左音声信号とを、バッファ部６６５に逐次送出する。すると、バッファ部６６５は、デコード部６６０から逐次送出された右音声信号と左音声信号とを、逐次送出するタイミングを調整して、定数可変ローパスフィルタ部６７０へ送出する。すると、定数可変ローパスフィルタ部６７０は、定数可変ローパスフィルタ部６７０から逐次送出される右音声信号と左音声信号とに対して、制御部６１０によって逐次設定されるカットオフ周波数に対応する周波数帯の高周波成分をカットして、それぞれを、第１アンプ５６５と第２アンプ５７０とに送出する。
【００６８】
ステップＳ１１１５の処理において、計測された残量が、所定量記憶部６１５に記憶されている所定量以下でない場合に（ステップＳ１１１５：Ｎｏ）、制御部６１０は、定数可変ローパスフィルタ部６７０のカットオフ周波数を第１周波数に設定する（ステップＳ１１３０）。
定数可変ローパスフィルタ部６７０のカットオフ周波数が第１周波数に設定されると、制御部６１０は、音源読出部６５５に、（１）ステップＳ１１０５の処理において特定された報知用楽曲、又は（２）ステップＳ１１１０の処理において特定された再生用楽曲群の読み出しを開始させる（ステップＳ１１３５）。ステップＳ１１３５の処理は、ステップＳ１１２５の処理と同等の処理である。
【００６９】
音源読出部６５５に、特定した報知用楽曲、又は特定した再生用楽曲群の、再生順の読み出しを開始させると、制御部６１０は、タイマ５４５を用いて時間の計測を開始して（ステップＳ１１４０）、所定時間Ｔ１（例えば、２０秒）の経過を待って（ステップＳ１１４５：Ｎｏを繰り返した後、ステップＳ１１４５：Ｙｅｓ）から、報知用楽曲、又は再生用楽曲群の中に、未だバッファ部６６５から楽曲完了通知信号が送信されていない楽曲が存在するか否かを調べることで、報知用楽曲、又は再生用楽曲群の中に、未だ再生が完了していない楽曲があるか否かを調べる（ステップＳ１１５０）。
【００７０】
ステップＳ１１５０の処理において、未だ再生が完了していない楽曲がある場合に（ステップＳ１１５０：Ｙｅｓ）、残量計測部６３０は、電池５５５に蓄電されている電力の残量を計測し、制御部６１０は、計測された残量が、所定量記憶部６１５に記憶されている所定量以下であるか否かを調べる（ステップＳ１１５５）。
ステップＳ１１５５の処理において、計測された残量が、所定量記憶部６１５に記憶されている所定量以下である場合に（ステップＳ１１５５：Ｙｅｓ）、制御部６１０は、バッファ部６６５から楽曲開始通知信号が最後に送出された楽曲について、バッファ部６６５から楽曲完了通知信号が送信されたか否かを調べることで、現在楽曲の再生中であるか否かを調べる（ステップＳ１１６０）。
【００７１】
ステップＳ１１６０の処理において、現在楽曲の再生中である場合に（ステップＳ１１６０：Ｙｅｓ）、制御部６１０は、再生中の楽曲が終了するまで待つ、すなわち、バッファ部６６５から楽曲開始通知信号が最後に送出された楽曲について、バッファ部６６５から楽曲完了通知信号が送信されるまで待つ（ステップＳ１１６５）。
ステップＳ１１６０の処理において、現在楽曲の再生中でない場合（ステップＳ１１６０：Ｎｏ）、又はステップＳ１１６５の処理が終了した場合に、制御部６１０は、定数可変ローパスフィルタ部６７０のカットオフ周波数を第２周波数に設定する（ステップＳ１１７０）。なお、この設定は、次に再生する楽曲が存在するときには、その楽曲の再生が開始されるまでの期間においてなされる。
【００７２】
ステップＳ１１５５の処理において、計測された残量が、所定量記憶部６１５に記憶されている所定量以下でない場合に（ステップＳ１１５５：Ｎｏ）、携帯端末１００は、ステップＳ１１４０に戻って、以降の処理を繰り返す。
ステップＳ１１２５の処理が終了した場合、又はステップＳ１１７０の処理が終了した場合に、制御部６１０は、未だ再生が完了していない楽曲が存在しなくなるまで待って（ステップＳ１１７５：Ｙｅｓを繰り返した後、ステップＳ１１７５：Ｎｏ）、携帯端末１００の行うカットオフ周波数制御処理を終了させる。
【００７３】
また、ステップＳ１１５０の処理において、未だ再生が完了していない楽曲がない場合に（ステップＳ１１５０：Ｎｏ）、制御部６１０は、携帯端末１００の行うカットオフ周波数制御処理を終了させる。
＜考察＞
携帯端末１００によると、楽曲群を再生している場合において、電池５５５の残量が減ってきて所定量以下になると、定数可変ローパスフィルタ部６７０のカットオフ周波数が、第１周波数から、第１周波数より低い第２周波数に変更される。このため、フィルムスピーカ２００ａとフィルムスピーカ２００ｂとから出力される音声の高音域の音質が低下するものの、フィルムスピーカ２００ａとフィルムスピーカ２００ｂとによって消費される電力が減少することとなる。
【００７４】
このことによって、携帯端末１００は、楽曲群を再生している場合において、電池５５５の残量が減ってきて所定量以下になったときに、音質の低下と引き替えにして、電池切れになる時刻を先延ばしすることができる。
また、携帯端末１００によると、一の楽曲を再生している途中において、電池５５５の残量が、所定量を跨いで減少した場合には、その楽曲の再生が終了するまで、第１周波数から第２周波数へのカットオフ周波数の変更を抑制して、楽曲の再生が終了してから、次の楽曲の再生が開始されるまでの期間に、第１周波数から第２周波数へのカットオフ周波数の変更が行われる。
【００７５】
このことによって、携帯端末１００は、利用するユーザに対して、一の楽曲の再生中に音質が変化してしまうという違和感を覚えさせてしまうことがない。
なお、図１１のフローチャートでは、未だ再生が完了していない楽曲がない場合に（ステップＳ１１７５：ＮＯ、ステップＳ１１５０：ＮＯ）、制御部６１０は、携帯端末１００の行うカットオフ周波数制御処理を終了させているが、携帯端末１００の電源がオフされた場合や電池残量が無くなった場合には、カットオフ周波数制御処理の途中でも当該処理が終了する。
＜変形例１＞
＜概要＞
ここでは、本発明に係る携帯端末の一実施形態として、実施の形態における携帯端末１００の一部を変形した第１変形例の携帯端末について説明する。
【００７６】
実施の形態における携帯端末１００は、定数可変ローパスフィルタ部６７０が、（１）電池５５５の残量が所定量より多い場合に、カットオフ周波数を第１周波数とし、（２）電池５５５の残量が所定量以下の場合に、カットオフ周波数を第１周波数より低い第２周波数とする構成であった。
このことによって、実施の形態における携帯端末１００においては、フィルムスピーカ２００ａとフィルムスピーカ２００ｂとに、（１）電池５５５の残量が所定量より多い場合には、第１周波数以上の周波数成分がカットされた信号が入力され、（２）電池５５５の残量が所定量以下の場合には、第２周波数以上の周波数成分がカットされた信号が入力される。
【００７７】
これに対して、本変形例１における第１変形例の携帯端末は、第１アンプ５６５とフィルムスピーカ２００ａとの間、及び第２アンプ５７０とフィルムスピーカ２００ｂとの間に、それぞれ、カットオフ周波数が第１周波数で固定の定数固定ローパスフィルタを備え、定数可変ローパスフィルタ部６７０が、（１）電池５５５の残量が所定量より多い場合に、高周波成分をカットせずにそのまま出力し、（２）電池５５５の残量が所定量以下の場合に、カットオフ周波数を第１周波数より低い第２周波数とする構成となっている。
【００７８】
このことによって、本変形例１における第１変形例の携帯端末においては、実施の形態における携帯端末１００と同様に、フィルムスピーカ２００ａとフィルムスピーカ２００ｂとに、（１）電池５５５の残量が所定量より多い場合には、第１周波数以上の周波数成分がカットされた信号が入力され、（２）電池５５５の残量が所定量以下の場合には、第２周波数以上の周波数成分がカットされた信号が入力される。
【００７９】
以下、この第１変形例の携帯端末の詳細について、実施の形態における携帯端末１００との相違点を中心に、図面を参照しながら説明する。
＜構成＞
図１２は、第１変形例の携帯端末の回路構成を示すブロック図である。
同図に示されるように、第１変形例の携帯端末は、実施の形態における携帯端末１００（図５参照）に対して、第１アンプ５６５とフィルムスピーカ２００ａとの間に、第１定数固定ローパスフィルタ１２１０が追加され、第２アンプ５７０とフィルムスピーカ２００ｂとの間に、第２定数固定ローパスフィルタ１２２０が追加されるように変形されている。
【００８０】
第１定数固定ローパスフィルタ１２１０は、第１アンプ５６５から出力されるアナログ信号に対して、第１周波数（例えば、１０ＫＨｚ）以上の高周波成分をカットする、カットオフ周波数が第１周波数で固定のローパスフィルタである。一例として、インダクタとキャパシタとによって実現される。
第２定数固定ローパスフィルタ１２２０は、第１定数固定ローパスフィルタ１２１０と同様の、カットオフ周波数が第１周波数で固定のローパスフィルタである。
【００８１】
上記構成を備える第１変形例の携帯端末の行う動作について、以下図面を参照しながら説明する。
＜動作＞
第１変形例の携帯端末は、実施の形態における携帯端末１００から、上記回路構成の変更に加えて、実行対象となるプログラムの一部が変更されるように変形されている。そして、このことによって、実施の形態におけるカットオフ周波数制御処理に替えて、第１変形例のカットオフ周波数制御処理を行う。
【００８２】
この第１変形例のカットオフ周波数制御処理は、実施の形態におけるカットオフ周波数制御処理の一部が変形された処理であって、電池５５５の残量が所定量より多いときに、定数可変ローパスフィルタ部６７０が高周波成分をカットしないようにし、電池５５５の残量が所定量以下のときに、定数可変ローパスフィルタ部６７０のカットオフ周波数を第２周波数とする処理である。
【００８３】
以下、第１変形例のカットオフ周波数制御処理について、図面を参照しながら説明する。
＜第１変形例のカットオフ周波数制御処理＞
第１変形例のカットオフ周波数制御処理は、実施の形態における携帯端末１００の行うカットオフ周波数制御処理から、その一部の処理が変更されるように変形された処理である。
【００８４】
図１３は、第１変形例のカットオフ周波数制御処理のフローチャートである。
第１変形例のカットオフ周波数制御処理における、ステップＳ１３００〜ステップＳ１３２５の処理、ステップＳ１３３５〜ステップＳ１３７５の処理は、それぞれ、カットオフ周波数制御処理（図１１参照）における、ステップＳ１１００〜ステップＳ１１２５の処理、ステップＳ１１３５〜ステップＳ１１７５の処理と同様の処理である。よって、これらの処理については既に説明済みである。
【００８５】
以下、ステップＳ１３３０の処理を中心に説明する。
ステップＳ１３１５の処理において、計測された残量が、所定量記憶部６１５に記憶されている所定量以下でない場合に（ステップＳ１３１５：Ｎｏ）、制御部６１０は、定数可変ローパスフィルタ部６７０を、高周波成分をカットせずにそのまま出力するように設定する（ステップＳ１３３０）。
【００８６】
ステップＳ１３３０の処理が終了すると、第１変形例の携帯端末は、ステップＳ１３３５以降の処理に進む。
＜変形例２＞
＜概要＞
ここでは、本発明に係る携帯端末の一実施形態として、変形例１における第１変形例の携帯端末の一部を変形した第２変形例の携帯端末について説明する。
【００８７】
変形例１における第１変形例の携帯端末は、再生対象の音声が報知音であるか否かに関わらず、電池５５５の残量が所定量以下であるか否かに応じて、定数可変ローパスフィルタ部６７０が、高周波成分をカットしないか、カットオフ周波数を第２周波数とするかのいずれかに設定される構成であった。
これに対して、本変形例２における第２変形例の携帯端末は、（１）再生対象の音声が報知音である場合には、変形例１における第１変形例の携帯端末と同様に、電池５５５の残量が所定量以下であるか否かに応じて、定数可変ローパスフィルタ部６７０が、高周波成分をカットしないか、カットオフ周波数を第２周波数とするかのいずれかに設定され、（２）再生対象の音声が報知音でない場合には、電池５５５の残量に関わらず高周波成分をカットしないと設定される、すなわち、カットオフ周波数を第２周波数と設定されることが抑制される構成となっている。
【００８８】
以下、この第２変形例の携帯端末の詳細について、変形例１における第１変形例の携帯端末との相違点を中心に、図面を参照しながら説明する。
＜構成＞
第２変形例の携帯端末は、変形例１における第１変形例の携帯端末と同様の回路構成である。
【００８９】
第２変形例の携帯端末の行う動作について、以下図面を参照しながら説明する。
＜動作＞
第２変形例の携帯端末は、変形例１における第１変形例の携帯端末から、実行対象となるプログラムの一部が変更されるように変形されている。そして、このことによって、変形例１における第１変形例のカットオフ周波数制御処理に替えて、第２変形例のカットオフ周波数制御処理を行う。
【００９０】
この第２変形例のカットオフ周波数制御処理は、変形例１における第１カットオフ周波数制御処理の一部が変形された処理であって、再生対象の音声が報知音でない場合には、電池５５５の残量に関わらず、定数可変ローパスフィルタ部６７０が高周波成分をカットしないようにする処理である。
以下、第２変形例のカットオフ周波数制御処理について、図面を参照しながら説明する。
【００９１】
＜第２変形例のカットオフ周波数制御処理＞
第２変形例のカットオフ周波数制御処理は、変形例における第１変形例のカットオフ周波数制御処理から、その一部の処理が変更されるように変形された処理である。
図１４は、第２変形例のカットオフ周波数制御処理のフローチャートである。
第２変形例のカットオフ制御処理における、ステップＳ１４００〜ステップＳ１４１０の処理、ステップＳ１４１５〜ステップＳ１４２０の処理、ステップＳ１４３０の処理、ステップＳ１４４０〜ステップＳ１４４５の処理、ステップＳ１４５５の処理は、それぞれ、それぞれ、第１変形例のカットオフ制御処理（図１３参照）における、ステップＳ１３００〜ステップＳ１３１０の処理、ステップＳ１３１５〜ステップＳ１３２０の処理、ステップＳ１４３０の処理、ステップＳ１３４０〜ステップＳ１３４５の処理、ステップＳ１３５５の処理と同様の処理である。よって、これらの処理については既に説明済みである。
【００９２】
以下、ステップＳ１４１２〜ステップＳ１４１４の処理、ステップＳ１４２５の処理、ステップＳ１４３５の処理、ステップＳ１４５０の処理、ステップＳ１４７５の処理を中心に説明する。
ステップＳ１４１０の処理が終了すると、制御部６１０は、定数可変ローパスフィルタ部６７０を、高周波成分をカットせずにそのまま出力するように設定する（ステップＳ１４１２）。
【００９３】
定数可変ローパスフィルタ部６７０が、高周波成分をカットせずにそのまま出力するように設定されると、制御部６１０は、音源読出部６５５に、ステップＳ１４１０の処理において特定された再生用楽曲群の読み出しを開始させる（ステップＳ１４１３）。
再生用楽曲群の読み出しを開始させると、制御部６１０は、未だ再生が完了していない楽曲が存在しなくなるまで待って（ステップＳ１４１４：Ｙｅｓを繰り返した後、ステップＳ１４１４：Ｎｏ）、携帯端末１００の行う第２変形例のカットオフ周波数制御処理を終了させる。
【００９４】
ステップＳ１４２０の処理が終了すると、制御部６１０は、音源読出部６５５に、ステップＳ１４０５の処理において特定された報知用楽曲の読み出しを開始させる（ステップＳ１４２５）。
報知用楽曲の読み出しを開始させると、制御部６１０は、報知用楽曲の再生が完了するまで待って（ステップＳ１４７５：Ｎｏを繰り返した後、ステップＳ１４７５：Ｙｅｓ）、携帯端末１００の行う第２変形例のカットオフ周波数制御処理を終了させる。
【００９５】
ステップＳ１４３０の処理が終了すると、制御部６１０は、音源読出部６５５に、ステップＳ１４０５の処理において特定された報知用楽曲の読み出しを開始させる（ステップＳ１４３５）。ステップＳ１４３５の処理は、ステップＳ１４２５の処理と同等の処理である。
ステップＳ１４４５の処理において、所定時間Ｔ１経過すると（ステップＳ１４４５：Ｙｅｓ）、制御部６１０は、報知用楽曲の再生が完了しているか否かを調べる（ステップＳ１４５０）。
【００９６】
ステップＳ１４５０の処理において、報知用楽曲の再生が完了していない場合に（ステップＳ１４５０：Ｎｏ）、ステップＳ１４５５の処理に進む。
ステップＳ１４５５の処理において、計測された残量が、所定量記憶部６１５に記憶されている所定量以下である場合に（ステップＳ１４５５：Ｙｅｓ）、ステップＳ１４２０の処理に進む。
【００９７】
ステップＳ１４５０の処理において、報知用楽曲の再生が完了している場合に（ステップＳ１４５０：Ｙｅｓ）、制御部６１０は、携帯端末１００の行う第２変形例のカットオフ周波数制御処理を終了させる。
＜考察＞
第１周波数の方が第２周波数よりも周波数が高い。よって、第１周波数以上の周波数成分がカットされた信号がフィルムスピーカ２００ａとフィルムスピーカ２００ｂとに入力される場合に出力される音声の音質の方が、第２周波数以上の周波数成分がカットされた信号がフィルムスピーカ２００ａとフィルムスピーカ２００ｂとに入力される場合に出力される音声の音質よりも高い。
【００９８】
第２変形例の携帯端末によると、報知音でない再生用楽曲群を再生する場合には、カットオフ周波数を第２周波数と設定されることが抑制され、電池５５５の残量に関わらず、第１周波数以上の周波数成分がカットされた信号がフィルムスピーカ２００ａとフィルムスピーカ２００ｂとに入力されることとなる。
このことによって、第２変形例の携帯端末は、電池５５５の残量が所定量以下の場合であっても、報知音でない再生用楽曲群を再生するときは、利用するユーザに対して、比較的音質の高い音声を提供することができる。
＜変形例３＞
＜概要＞
ここでは、本発明に係る携帯端末の一実施形態として、変形例１における第１変形例の携帯端末の一部を変形した第３変形例の携帯端末について説明する。
【００９９】
変形例１における第１変形例の携帯端末は、再生対象の音声が報知音でない楽曲の場合には、その楽曲のジャンルに関わらずに、電池５５５の残量が所定量以下であっても、定数可変ローパスフィルタ部６７０が高周波成分をカットしないと設定される構成であった。
これに対して、本変形例３における第３変形例の携帯端末は、再生対象の音声が報知音でない楽曲の場合において、（１）その楽曲が、ユーザによって指定されたジャンルの楽曲であるときには、電池５５５の残量が所定量以下であっても、定数可変ローパスフィルタ部６７０が高周波成分をカットしないと設定され、（２）その楽曲が、ユーザによって指定されたジャンルの楽曲でないときには、電池５５５の残量が所定量以下であれば、定数可変ローパスフィルタ部６７０が、カットオフ周波数を第２周波数とするように設定される構成となっている。
【０１００】
以下、この第３変形例の携帯端末の詳細について、変形例１における第１変形例の携帯端末との相違点を中心に、図面を参照しながら説明する。
＜構成＞
第３変形例の携帯端末は、変形例１における第１変形端末と同様の回路構成であるが、実行対象となるプログラムの一部が変更されるように変形されている。そして、このことによって、変形例１におけるカットオフ周波数制御部６００（図６参照：実施の形態におけるカットオフ周波数制御部６００と同様のもの）が、カットオフ周波数制御部１５００に変形されている。
【０１０１】
図１５は、カットオフ周波数制御部１５００の機能構成を示すブロック図である。
同図に示されるように、カットオフ周波数制御部１５００は、変形例１におけるカットオフ周波数制御部６００から、ジャンル記憶部１５７５が追加され、ユーザ操作受付部６２０がユーザ操作受付部１５２０に変更され、制御部６１０が制御部１５１０に変更されるように変形されている。
【０１０２】
ユーザ操作受付部１５２０は、変形例１におけるユーザ操作受付部６２０の有する、再生楽曲指定操作と、楽曲再生操作とに加えて、以下のジャンル指定操作を受け付ける機能を有する。
ジャンル指定操作とは、第３変形例の携帯端末を利用するユーザが、音源テーブル７００に含まれるジャンル７７０のうち、自分の好むジャンルを指定する操作である。
【０１０３】
ジャンル指定操作の受け付けは、第３変形例の携帯端末を利用するユーザによって、タッチパネル１１０に対して所定の操作（例えば、ジャンル指定操作を受け付ける旨を示すアイコンのタッチ操作）がなされることで行われる。
ジャンル記憶部１５７５は、制御部１５１０に接続され、メモリ５３０によって実現される。そして、第３変形例の携帯端末を利用するユーザによってなされたジャンル指定操作によって指定されたジャンルを記憶する機能を有する。
【０１０４】
制御部１５１０は、変形例１における制御部６１０の有する、再生テーブル生成制御機能と、音源データ通知機能と、フィルタ定数設定機能とに加えて、以下のジャンル記憶制御機能を有する。
ジャンル記憶制御機能とは、ユーザ操作受付部１５２０によってジャンル指定操作が受け付けられた場合に、その受け付けられたジャンル指定操作に基づいて、指定されたジャンルを、ジャンル記憶部１５７５に記憶させる機能である。
【０１０５】
上記構成を備える第３変形例の携帯端末の行う動作について、以下図面を参照しながら説明する。
＜動作＞
第３変形例の携帯端末は、変形例１における第１変形例のカットオフ周波数制御処理に替えて、第３変形例のカットオフ周波数制御処理を行う。
【０１０６】
この第３変形例のカットオフ周波数制御処理は、変形例１における第１カットオフ周波数制御処理の一部が変形された処理であって、再生対象の音声がユーザによって指定されたジャンルの曲である場合には、電池５５５の残量に関わらず、定数可変ローパスフィルタ部６７０が高周波成分をカットしないようにする処理である。
以下、第３変形例のカットオフ周波数制御処理について、図面を参照しながら説明する。
【０１０７】
＜第３変形例のカットオフ周波数制御処理＞
第３変形例のカットオフ周波数制御処理は、変形例１における第１変形例の携帯端末の行う第１変形例のカットオフ周波数制御処理から、その一部の処理が変更されるように変形された処理である。
図１６、図１７は、第３変形例のカットオフ周波数制御処理のフローチャートである。
【０１０８】
第３変形例のカットオフ周波数制御処理における、ステップＳ１６００〜ステップＳ１６１０の処理、ステップＳ１６１５〜ステップＳ１６７０の処理は、それぞれ、第１変形例のカットオフ周波数制御処理（図１３参照）における、ステップＳ１３００〜ステップＳ１３１０の処理、ステップＳ１３１５〜ステップＳ１３７０の処理と同様の処理である。よって、これらの処理については既に説明済みである。但し、制御部６１０を制御部１５１０と読み替え、ユーザ操作受付部６２０をユーザ操作受付部１５２０と読み替える必要がある。
【０１０９】
以下、ステップＳ１６１２の処理、ステップＳ１６７５の処理、ステップＳ１７１０〜ステップＳ１７５０の処理を中心に説明する。
ステップＳ１６１０の処理が終了すると、制御部１５１０は、再生テーブル記憶部６３５に記憶される再生テーブル９００を参照して、最初に再生される楽曲が、ジャンル記憶部１５７５に記憶される、ユーザによって指定されたジャンル（以下、「指定ジャンル」と呼ぶ。）であるか否かを調べる（ステップＳ１６１２）。
【０１１０】
ステップＳ１６１２の処理において、最初に再生される楽曲が指定ジャンルである場合に（ステップＳ１６１２：Ｙｅｓ）、ステップＳ１６３０の処理に進み、最初に再生される楽曲が指定ジャンルでない場合に（ステップＳ１６１２：Ｎｏ）、ステップＳ１６１５の処理に進む。
ステップＳ１６２５の処理が終了した場合、又はステップＳ１６７０の処理が終了した場合に、制御部１５１０は、報知用楽曲、又は再生用楽曲群の中に、未だバッファ部６６５から楽曲完了通知信号が送信されていない楽曲が存在するか否かを調べることで、報知用楽曲、又は再生用楽曲群の中に、未だ再生が完了していない楽曲があるか否かを調べる（ステップＳ１６７５）。
【０１１１】
ステップＳ１６７５の処理において、未だ再生が完了していない楽曲がある場合に（ステップＳ１６７５：Ｙｅｓ）、制御部１５１０は、再生テーブル記憶部６３５に記憶される再生テーブル９００を参照して、次に再生される楽曲が、ジャンル記憶部１５７５に記憶される指定ジャンルであるか否かを調べる（ステップＳ１７１０：図１７参照）。ここで、次に再生される楽曲がない場合には、次に再生される楽曲が、ジャンル記憶部１５７５に記憶される指定ジャンルでないとして取り扱われるものとする。
【０１１２】
ステップＳ１７１０の処理において、次に再生される楽曲が指定ジャンルである場合に（ステップＳ１７１０：Ｙｅｓ）、制御部１５１０は、バッファ部６６５から楽曲開始通知信号が最後に送出された楽曲について、バッファ部６６５から楽曲完了通知信号が送信されたか否かを調べることで、現在楽曲の再生中であるか否かを調べる（ステップＳ１７２０）。
【０１１３】
ステップＳ１７２０の処理において、現在楽曲の再生中である場合に（ステップＳ１７２０：Ｙｅｓ）、制御部１５１０は、再生中の楽曲が終了するまで待つ、すなわち、バッファ部６６５から楽曲開始通知信号が最後に送出された楽曲について、バッファ部６６５から楽曲完了通知信号が送信されるまで待つ（ステップＳ１７３０）。
ステップＳ１７２０の処理において、現在楽曲の再生中でない場合（ステップＳ１７２０：Ｎｏ）、又はステップＳ１７３０の処理が終了した場合に、制御部１５１０は、定数可変ローパスフィルタ部６７０を、高周波成分をカットせずにそのまま出力するように設定する（ステップＳ１７４０）。なお、この設定は、次に再生する楽曲が存在するときには、その楽曲の再生が開始されるまでの期間においてになされる。
【０１１４】
ステップＳ１７４０の処理が終了すると、ステップＳ１６４０の処理に進む。
ステップＳ１７１０の処理において、次に再生される楽曲が指定ジャンルでない場合に（ステップＳ１７１０：Ｎｏ）、ステップＳ１６７５の処理に進む。
ステップＳ１６６５の処理が終了すると、制御部１５１０は、再生テーブル記憶部６３５に記憶される再生テーブル９００を参照して、次に再生される楽曲が、ジャンル記憶部１５７５に記憶される指定ジャンルであるか否かを調べる（ステップＳ１７５０）。ここで、次に再生される楽曲がない場合には、次に再生される楽曲が、ジャンル記憶部１５７５に記憶される指定ジャンルでないとして取り扱われるものとする。
【０１１５】
ステップＳ１７５０の処理において、次に再生される楽曲が指定ジャンルである場合に（ステップＳ１７５０：Ｙｅｓ）、ステップＳ１６４０の処理に進み、次に再生される楽曲が指定ジャンルでない場合に（ステップＳ１７５０：Ｎｏ）、ステップＳ１６７０の処理に進む。
ステップＳ１６７５の処理において、未だ再生が完了していない楽曲がない場合に（ステップＳ１６７５：Ｎｏ）、制御部１５１０は、第３変形例の携帯端末が行う第３変形例のカットオフ周波数制御処理を終了させる。
【０１１６】
＜考察＞
第３変形例の携帯端末によると、報知音でない、ユーザの好みであると指定されたジャンルの楽曲を再生する場合には、カットオフ周波数を第２周波数と設定されることが抑制され、電池５５５の残量に関わらず、第１周波数以上の周波数成分がカットされた信号がフィルムスピーカ２００ａとフィルムスピーカ２００ｂとに入力されることとなる。
【０１１７】
このことによって、第３変形例の携帯端末は、電池５５５の残量が所定量以下の場合であっても、報知音でない、ユーザの好みであると指定されたジャンルの楽曲を再生するときは、利用するユーザに対して、比較的音質の高い音声を提供することができる。
＜変形例４＞
＜概要＞
ここでは、本発明に係る携帯端末の一実施形態として、変形例１における第１変形例の携帯端末の一部を変形した第４変形例の携帯端末について説明する。
【０１１８】
変形例１における第１変形例の携帯端末は、カットオフ周波数をプログラマブルに設定可能な定数可変ローパスフィルタ部６７０（図６参照：実施の形態における定数可変ローパスフィルタ部６７０と同様のもの）を備える構成であった。
これに対して、変形例４における第４変形例の携帯端末は、カットオフ周波数をプログラマブルに設定可能な定数可変ローパスフィルタ部６７０を備えずに、替わりに、カットオフ周波数が固定の定数固定ローパスフィルタを複数種備え、カットしたい高周波領域に合わせて、利用する定数固定ローパスフィルタを選択する構成となっている。
【０１１９】
以下、この第４変形例の携帯端末の詳細について、変形例１における第１変形例の携帯端末との相違点を中心に、図面を参照しながら説明する。
＜構成＞
図１８は、第４変形例の携帯端末の回路構成を示すブロック図である。
同図に示されるように、第４変形例の携帯端末は、変形例１における第１変形例の携帯端末（図１２参照）に対して、第３定数固定ローパスフィルタ１８１０と、第４定数固定ローパスフィルタ１８２０と、セレクタ１８３０と、セレクタ１８４０とが追加されるように変形されている。
【０１２０】
第３定数固定ローパスフィルタ１８１０は、第１アンプ５６５とセレクタ１８３０とに接続され、第１アンプ５６５から出力されるアナログ信号に対して、第２周波数（例えば、５ＫＨｚ）以上の高周波成分をカットする、カットオフ周波数が第２周波数で固定のローパスフィルタである。一例として、インダクタとキャパシタとによって実現される。
第４定数固定ローパスフィルタ１８２０は、第３定数固定ローパスフィルタ１８１０と同様の、カットオフ周波数が第２周波数で固定のローパスフィルタであって、第２アンプ５７０とセレクタ１８４０とに接続される。
【０１２１】
セレクタ１８３０は、第１定数固定ローパスフィルタ１２１０と、第３定数固定ローパスフィルタ１８１０と、フィルムスピーカ２００ａと、ＣＰＵ５００とに接続され、ＣＰＵ５００からの制御信号によって、第１定数固定ローパスフィルタ１２１０の出力と、第３定数固定ローパスフィルタ１８１０の出力とのいずれか一方を選択して、フィルムスピーカ２００ａへ出力するように設定されるセレクタである。
【０１２２】
セレクタ１８４０は、第２定数固定ローパスフィルタ１２２０と、第４定数固定ローパスフィルタ１８２０と、フィルムスピーカ２００ｂと、ＣＰＵ５００とに接続され、ＣＰＵ５００からの制御信号によって、第２定数固定ローパスフィルタ１２２０の出力と、第４定数固定ローパスフィルタ１８２０の出力とのいずれか一方を選択して、フィルムスピーカ２００ｂへ出力するように設定されるセレクタである。
【０１２３】
第４変形例の携帯端末は、さらに、実行対象となるプログラムの一部が変更されるように変形されている。そして、このことによって、実施の形態１におけるカットオフ周波数制御部６００（図６参照：実施の形態におけるカットオフ周波数制御部６００と同様のもの）が、カットオフ周波数制御部１９００に変形されている。
図１９は、カットオフ周波数制御部１９００の機能構成を示すブロック図である。
【０１２４】
同図に示されるように、カットオフ周波数制御部１９００は、変形例１におけるカットオフ周波数制御部６００から、定数可変ローパスフィルタ部６７０が削除され、バッファ部６６５から出力される右音声信号が第１アンプ５６５に入力され、バッファ部６６５から出力される左音声信号が第２アンプ５７０に入力され、制御部６１０が制御部１９１０に変更され、制御部１９１０の信号が、セレクタ１８３０とセレクタ１８４０とに入力されるように変形されている。
【０１２５】
制御部１９１０は、変形例１における制御部６１０の有する、再生テーブル生成制御機能と、音源データ通知機能とに加えて、以下の変形フィルタ定数設定機能を有する。
変形フィルタ定数設定機能とは、セレクタ１８３０に、第１定数固定ローパスフィルタ１２１０の出力と、第３定数固定ローパスフィルタ１８１０の出力とのいずれを選択させるかを設定し、セレクタ１８４０に、第２定数固定ローパスフィルタ１２２０の出力と、第４定数固定ローパスフィルタ１８２０の出力とのいずれを選択させるかを設定する機能である。
【０１２６】
上記構成を備える第４変形例の携帯端末の行う動作について、以下図面を参照しながら説明する。
＜動作＞
第４変形例の携帯端末は、変形例１における第１変形例のカットオフ周波数制御処理に替えて、第４変形例のカットオフ周波数制御処理を行う。
【０１２７】
この第４変形例のカットオフ周波数制御処理は、変形例１における第１カットオフ周波数制御処理の一部が変形された処理であって、電池５５５の残量が所定量より多いときに、セレクタ１８３０とセレクタ１８４０とに、それぞれ、第１定数固定ローパスフィルタ１２１０の出力と第２定数固定ローパスフィルタ１２２０の出力とを選択させ、電池５５５の残量が所定量以下のときに、セレクタ１８３０とセレクタ１８４０とに、それぞれ、第３定数固定ローパスフィルタ１８１０の出力と第４定数固定ローパスフィルタ１８２０の出力とを選択させる処理である。
【０１２８】
以下、第４変形例のカットオフ周波数制御処理について、図面を参照しながら説明する。
＜第４変形例のカットオフ周波数制御処理＞
第４変形例のカットオフ周波数制御処理は、変形例における第１変形例のカットオフ周波数制御処理から、その一部の処理が変更されるように変形された処理である。
【０１２９】
図２０は、第４変形例のカットオフ周波数制御処理のフローチャートである。
第４変形例のカットオフ制御処理における、ステップＳ２０００〜ステップＳ２０１５の処理、ステップＳ２０２５の処理、ステップＳ２０３５〜ステップＳ２０６５の処理、ステップＳ２０７５の処理は、それぞれ、第１変形例のカットオフ制御処理（図１３参照）における、ステップＳ１３００〜ステップＳ１３１５の処理、ステップＳ１３２５の処理、ステップＳ１３３５〜ステップＳ１３６５の処理、ステップＳ１３７５の処理と同様の処理である。よって、これらの処理については既に説明済みである。但し、制御部６１０を制御部１９１０と読み替える必要がある。
【０１３０】
以下、ステップＳ２０２０の処理、ステップＳ２０３０の処理、ステップＳ２０７０の処理を中心に説明する。
ステップＳ２０１５の処理において、計測された残量が、所定量記憶部６１５に記憶されている所定量以下である場合に（ステップＳ２０１５：Ｙｅｓ）、制御部１９１０は、セレクタ１８３０に、第３定数固定ローパスフィルタ１８１０の出力を選択させ、セレクタ１８４０に、第４定数固定ローパスフィルタ１８２０の出力を選択させるように設定する（ステップＳ２０２０）。このことによって、フィルムスピーカ２００ａとフィルムスピーカ２００ｂとには、それぞれ、第２周波数以上の高周波成分がカットされた信号が入力されることとなる。
【０１３１】
ステップＳ２０１５の処理において、計測された残量が、所定量記憶部６１５に記憶されている所定量以下でない場合に（ステップＳ２０１５：Ｎｏ）、制御部１９１０は、セレクタ１８３０に、第１定数固定ローパスフィルタ１２１０の出力を選択させ、セレクタ１８４０に、第２定数固定ローパスフィルタ１２２０の出力を選択させるように設定する（ステップＳ２０３０）。このことによって、フィルムスピーカ２００ａとフィルムスピーカ２００ｂとには、それぞれ、第１周波数以上の高周波成分がカットされた信号が入力されることとなる。
【０１３２】
ステップＳ２０６０の処理において、現在楽曲の再生中でない場合（ステップＳ２０６０：Ｎｏ）、又はステップＳ２０６５の処理が終了した場合に、制御部１９１０は、セレクタ１８３０に、第３定数固定ローパスフィルタ１８１０の出力を選択させ、セレクタ１８４０に、第４定数固定ローパスフィルタ１８２０の出力を選択させるように設定する（ステップＳ２０７０）。
【０１３３】
ステップＳ２０７０の処理が終了すると、ステップＳ２０７５の処理に進む。
＜補足＞
以上、本発明に係る携帯端末の実施形態について、実施の形態、変形例１、変形例２、変形例３、及び変形例４において、それぞれ、携帯端末１００、第１変形例の携帯端末、第２変形例の携帯端末、第３変形例の携帯端末、及び第４変形例の携帯端末を例示して説明したが、以下のように変形することも可能であり、本発明は、実施の形態、変形例１、変形例２、変形例３、及び変形例４において例示した、携帯端末１００、第１変形例の携帯端末、第２変形例の携帯端末、第３変形例の携帯端末、及び第４変形例の携帯端末に限られないことはもちろんである。
【０１３４】
（１）実施の形態において、携帯端末１００は、第１周波数が例えば１０ＫＨｚで、第２周波数が例えば５ＫＨｚであるとして説明した。しかしながら、第２周波数の方が第１周波数よりも低い周波数であれば、必ずしも第１周波数が１０ＫＨｚであって、第２周波数が５ＫＨｚである必要はない。一例として、第１周波数が１２ＫＨｚであって、第２周波数が７ＫＨｚである例が考えられる。
【０１３５】
また、第１周波数および第２周波数の少なくとも一方は、ユーザが任意に設定できてもよい。その場合、ユーザは、ユーザ操作受付部によって周波数の選択又は周波数の入力を行うことができる。
（２）実施の形態において、携帯端末１００は、所定量記憶部６１５が１つの所定量を記憶し、電池５５５の残量がこの所定量よりも多い場合に、定数可変ローパスフィルタ部６７０のカットオフ周波数を第１周波数とし、電池５５５の残量がこの所定量以下の場合に、定数可変ローパスフィルタ部６７０のカットオフ周波数を第１周波数よりも低い第２周波数とする構成の例であった。しかしながら、電池５５５の残量に応じて、定数可変ローパスフィルタ部６７０のカットオフ周波数を変更する構成であれば、必ずしも、上記構成に限られない。一例として、所定量記憶部６１５が、第１所定量と、第１所定量よりも少ない第２所定量とを記憶し、電池５５５の残量が第１所定量よりも多い場合に、定数可変ローパスフィルタ部６７０のカットオフ周波数を第１周波数とし、電池５５５の残量が第１所定量以下であって第２所定量よりも多い場合に、定数可変ローパスフィルタ部６７０のカットオフ周波数を第２周波数とし、電池５５５の残量が第２所定量よりも少ない場合に、定数可変ローパスフィルタ部６７０のカットオフ周波数を第２周波数より低い第３周波数とする構成の例が考えられる。
【０１３６】
（３）実施の形態において、携帯端末１００は、所定量記憶部６１５の記憶する所定量が例えば１５％であるとして説明した。しかしながら、必ずしも１５％である必要はない。一例として、所定量記憶部６１５の記憶する所定量が１０％である構成の例が考えられる。
（４）実施の形態において、携帯端末１００は、音源記憶部６４５に記憶される音源データが、例えばＭＰ３規格に準拠して符号化されたデータであるとして説明した。しかしながら、音源記憶部６４５に記憶される音源データの符号化方式は、必ずしもＭＰ３規格に準拠した符号化方式で符号化されている必要はなく、さらには、必ずしも符号化されている必要はない。なお、音源記憶部６４５に記憶される音源データが符号化されていない場合には、デコード部６６０によって復号される必要がなくなる。
【０１３７】
（５）実施の形態において、携帯端末１００は、カットオフ周波数制御処理において、バッファ部６６５が一時的に記憶する音声信号が、デコード部６６０から逐次送出された、復号された楽曲の音声信号である構成の例であった。しかしながら、カットオフ周波数制御処理において、バッファ部６６５が一時的に記憶する音声信号は、必ずしも、デコード部６６０から逐次送出された、復号された楽曲の音声信号に限られる必要はない。例えば、携帯端末１００が現在通信している通話相手の音声信号、携帯端末１００が現在受信しているインターネット放送番組の音声信号、ＳＤカードリーダ５２５に装着されたＳＤカードから逐次読み出された、過去に録音された会議の音声信号等であっても構わない。
【０１３８】
（６）実施の形態において、携帯端末１００は、フィルムスピーカを２つ備えてステレオ音声出力に対応する構成の例であった。しかしながら、カットオフ周波数制御処理と同等の処理を実現することができれば、必ずしも、備えるフィルムスピーカの数は２つに限定される必要はないし、必ずしも、ステレオ音声出力に対応している必要はない。一例として、フィルムスピーカを１つ備えて、ステレオ音声出力に対応せずにモノラル音声出力にのみ対応する構成の例が考えられる。また、別の一例として、フィルムスピーカを６つ備えて、高音質のステレオ音声出力を実現する構成の例が考えられる。
【０１３９】
（７）実施の形態において、携帯端末１００は、いわゆるスマートフォンである構成の例であった。しかしながら、携帯端末１００は、容量性負荷として振る舞うフィルムスピーカを備え、カットオフ周波数制御処理と同等の処理を実現する機能を有していれば、必ずしも、いわゆるスマートフォンである必要はない。一例として、容量性負荷として振る舞うフィルムスピーカを備え、カットオフ周波数制御処理と同等の処理を実現する機能を有する、タブレット型パソコン、ＰＤＡ（Personal Digital Assistant：携帯情報端末）、折り畳み式携帯電話機等である例が考えられる。
【０１４０】
（８）変形例３において、第３変形例の携帯端末は、ユーザ操作受付部１５２０が、ユーザによるジャンルの指定を受け付ける機能を有し、再生対象の楽曲がユーザによって指定されたジャンルの楽曲であるときには、電池５５５の残量が所定量以下であっても、定数可変ローパスフィルタ部６７０がカットオフなしに設定される構成の例であった。これに対して、別の一例として、ユーザ操作受付部１５２０が、ユーザによる楽曲の指定を受け付ける機能を有し、再生対象の楽曲がユーザによって指定された楽曲であるときには、電池５５５の残量が所定量以下であっても、定数可変ローパスフィルタ部６７０がカットオフなしに設定される構成の例が考えられる。
【０１４１】
（９）上記実施の形態及び上記変形例を適宜組み合わせるとしてもよい。
【産業上の利用可能性】
【０１４２】
本発明に係る携帯端末、及びその制御方法は、容量性負荷として振る舞うフィルムスピーカを備える携帯端末に広く利用することができる。
【符号の説明】
【０１４３】
１００  携帯端末
２００ａ  フィルムスピーカ
２００ｂ  フィルムスピーカ
６１０  制御部
６１５  所定量記憶部
６２０  ユーザ操作受付部
６２５  報知指示受付部
６３０  残量計測部
６３５  再生テーブル記憶部
６４０  報知テーブル記憶部
６４５  音源記憶部
６５０  音源テーブル記憶部
６５５  音源読出部
６６０  デコード部
６６５  バッファ部
６７０  定数可変ローパスフィルタ部
【図１】
2015188141.tif 000003
【図２】
2015188141.tif 000004
【図３】
2015188141.tif 000005
【図４】
2015188141.tif 000006
【図５】
2015188141.tif 000007
【図６】
2015188141.tif 000008
【図７】
2015188141.tif 000009
【図８】
2015188141.tif 000010
【図９】
2015188141.tif 000011
【図１０】
2015188141.tif 000012
【図１１】
2015188141.tif 000013
【図１２】
2015188141.tif 000014
【図１３】
2015188141.tif 000015
【図１４】
2015188141.tif 000016
【図１５】
2015188141.tif 000017
【図１６】
2015188141.tif 000018
【図１７】
2015188141.tif 000019
【図１８】
2015188141.tif 000020
【図１９】
2015188141.tif 000021
【図２０】
2015188141.tif 000022